(57)【特許請求の範囲】
【請求項１】
容器開口部に装着され容器内の内容液を所定量汲み出して吐出するポンプディスペンサに設けられるポンプディスペンサの吐出モード切換え装置において、
霧状の吐出液流を生成するための第１の流路を備えたスプレー用アダプタと、
該スプレー用アダプタに装着され、前記第１の流路からの霧状の吐出液流を減衰させて直進流とする第２の流路を備えたストリーム用アダプタと、
該ストリーム用アダプタに装着され前記第２の流路を開閉するキャップと、を備えたことを特徴とするポンプディスペンサの吐出モード切換え装置。
【請求項２】
ストリーム用アダプタは第１ヒンジを介してスプレー用アダプタに開閉自在に連結され、さらにキャップが第２ヒンジを介して前記ストリーム用アダプタに開閉自在に連結されている請求項１に記載のポンプディスペンサの吐出モード切換え装置。
【請求項３】
容器開口部に装着され容器内の内容液を所定量汲み出して吐出するポンプディスペンサに設けられるポンプディスペンサの吐出モード切換え装置において、
霧状の吐出液流を生成するための第１の流路を備えたスプレー用アダプタと、
該スプレー用アダプタに装着され、前記第１の流路からの霧状の吐出液流と干渉すると共に空気を混合して泡を生成する第３の流路を備えたフォーム用アダプタと、
該フォーム用アダプタに装着され前記第３の流路を開閉するキャップと、を備えたことを特徴とするポンプディスペンサの吐出モード切換え装置。
【請求項４】
フォーム用アダプタはスプレー用アダプタにスライド自在に連結され、キャップはヒンジを介してフォーム用アダプタに開閉自在に連結されている請求項３に記載のポンプディスペンサの吐出モード切換え装置。
【発明の詳細な説明】
【０００１】
【産業上の利用分野】
本発明は、ポンプディスペンサの吐出液流の形態を可変とする吐出モード切換え装置に関する。
【０００２】
【従来の技術】
従来のこの種のポンプディスペンサの吐出モードとしては、内容液を直線的に吐出するストリームモードと、内容液を霧状にして吐出口から放射状に吐出するスプレーモードと、内容液を泡状に吐出するフォームモードがある。
【０００３】
このような吐出モードの切換えは、注口部に設けられたヒンジキャップ状のものを開閉する方法と、注口部外周にスライドバルブを装着し、このスライドバルブを回転させる方法等が多用されている。
【０００４】
【発明が解決しようとする課題】
しかし、従来からストリームモード，スプレーモード及びフォームモードのいずれか２つのモードを切換えるものはあっても、これらのモードに停止モードを加えると３モードの切換えが必要となり構造が複雑となる。
【０００５】
特に、ストリームモードとスプレーモードの切換えについては、従来はストリーム用流路とスプレー用流路が一部干渉していたために、ストリーム（直進流）発生の際にスプレー（渦流）用溝に液流が干渉して渦巻傾向となり、直進流に乱れが生じるという問題があった。
【０００６】
本発明は、上記した従来技術の課題を解決するためになされたもので、その目的とするところは、簡単な構成で、ストリームモードとスプレーモードあるいはスプレーモードとフォームモードの２つのモードに停止モードを加えた３モードの切換えを可能とするポンプディスペンサの吐出モード切換え装置を提供することにある。
【０００７】
【課題を解決するための手段】
上記目的を達成するために、容器開口部に装着され容器内の内容液を所定量汲み出して吐出するポンプディスペンサに設けられるポンプディスペンサの吐出モード切換え装置において、霧状の吐出液流を生成するための第１の流路を備えたスプレー用アダプタと、スプレー用アダプタに装着され前記第１の流路からの霧状の吐出液流を減衰させて直進流とする第２の流路を備えたストリーム用アダプタと、該ストリーム用アダプタの第２の流路を開閉するキャップと、を備えたことを特徴とする。
【０００８】
上記ストリーム用アダプタは第１ヒンジを介してスプレー用アダプタに開閉自在に連結され、さらにキャップが第２ヒンジを介して前記ストリーム用アダプタに開閉自在に連結されていることを特徴とする。
【０００９】
また、容器開口部に装着され容器内の内容液を所定量汲み出して吐出するポンプディスペンサに設けられるポンプディスペンサの吐出モード切換え装置において、霧状の吐出液流を生成するための第１の流路を備えたスプレー用アダプタと、スプレー用アダプタに装着され前記第１の流路からの霧状の吐出液流と干渉すると共に空気を混合して泡を生成する第３の流路を備えたフォーム用アダプタと、該フォーム用アダプタの第３の流路を開閉するキャップと、を備えたことを特徴とする。
【００１０】
フォーム用アダプタはスプレー用アダプタにスライド自在に連結され、キャップはヒンジを介してフォーム用アダプタに開閉自在に連結されていることを特徴とする。
【００１１】
【作用】
まず、スプレーモードとストリームモードを切り換える第１の発明について説明する。
【００１２】
スプレーモードの場合には、ストリーム用アダプタをスプレー用アダプタの吐出口部から外してスプレー用アダプタの第１の流路を通じて吐出される霧状の吐出液流をそのまま吐出する。
【００１３】
次に、ストリームモードの場合には、ストリーム用アダプタをスプレー用アダプタに装着する。すると、スプレー用アダプタの第１の流路から吐出された霧状の吐出液流がストリーム用アダプタの減衰用の第２の流路を通過する途上で霧状に広がる方向の力成分が減衰されて直進流となり、直進流として吐出される。
【００１４】
停止モードの場合には、ストリーム用アダプタにキャップを装着して減衰用の第２の流路を閉塞する。
【００１５】
ストリーム用アダプタ及びキャップを第１，第２ヒンジを介して開閉自在に連結しているので、操作が簡単になる。
【００１６】
次に、スプレーモードとフォームモードを切り換える第２の発明について説明する。
【００１７】
スプレーモードの場合には、ストリーム用アダプタをスプレー用アダプタの吐出口部から外してスプレー用アダプタの第１の流路を通じて吐出される霧状の吐出液流を、そのまま吐出する。
【００１８】
次に、フォームモードの場合には、フォーム用アダプタをスプレー用アダプタに装着する。すると、スプレー用アダプタの第１の流路から吐出された霧状の吐出液流がフォーム用アダプタの泡生成用の第３の流路で流れが乱され、この乱流中に空気が混入されて泡が生成される。
【００１９】
停止モードの場合には、フォーム用アダプタにキャップを装着して泡生成流路を閉塞する。
【００２０】
フォーム用アダプタをスプレー用アダプタにスライド自在に連結し、スプレー用アダプタにヒンジを介してキャップを連結しているので、操作が簡単になる。
【００２１】
【実施例】
以下に本発明を図示の実施例に基づいて説明する。
【００２２】
［第１実施例］
図１及び図２は、本発明の第１実施例に係るポンプディスペンサの吐出モード切換え装置を示している。
【００２３】
この吐出モード切換え装置１は、容器２の開口部に装着され容器２内の内容液を所定量汲み出して吐出するポンプディスペンサ３の吐出口部４に設けられるものである。
【００２４】
本発明の吐出モード切換え装置１はどのようなタイプのポンプディスペンサにも適用可能であるが、図示例ではトリガ式ポンプディスペンサに適用した場合を例示している。
【００２５】
ポンプディスペンサ３の構成を簡単に説明すると、側方に延びる吐出口部４を備えたトリガヘッド３０１と、容器２とトリガヘッド３０１とを連結するリテーナ３０２と、このリテーナ３０２に接続されるディップチューブ３０３と、を備えている。
【００２６】
トリガヘッド３０１は中空部材で、その中空内部には下方に開口するシリンダ３０４が設けられ、このシリンダ３０４内周に下方からピストン部材３０５が上下移動可能に挿入されている。このピストン部材３０５の上下移動によってシリンダ３０４とピストン部材３０５間のポンプ室３０６の容積を膨張・収縮させ、内容液を吸入・吐出するようになっている。
【００２７】
ピストン部材３０５の上下移動は、トリガヘッド３０１に揺動自在に枢支されたトリガレバー３０７によって操作される。すなわち、ポンプ室３０６内にはピストン部材３０５をシリンダ３０４から下方に引き離してポンプ室３０６の容積を拡張させる方向に付勢するスプリング３０８が装着され、スプリング３０８のばね力に抗してトリガレバー３０７を引くことによって、ポンプ室３０６内の容積を収縮させて内容液を吐出させる。吐出が完了するとスプリング３０８のばね力によってポンプ室３０６の容積が拡張して負圧となり内容液がポンプ室３０６内に吸入されるようになっている。
【００２８】
吐出口部４には、内容液をポンプ室３０６内に吸入する際には閉じ、ポンプ室３０６から吐出する際には開く吐出弁機構３０９が設けられている。
【００２９】
また、ディップチューブ３０３とポンプ室３０６とを連通すべく中空のピストン部材３０５内の吸入通路３１０には、内容液をポンプ室３０６内に吸入する際には開き、ポンプ室３０６から吐出する際には閉じる吸入弁機構３１１が設けられている。
【００３０】
吐出モード切換え装置１は、霧状の吐出液流を生成するための第１の流路１１を備えたスプレー用アダプタ１０と、スプレー用アダプタ１０の霧状の吐出液流を減衰させて直進流とする第２の流路２１を備えたストリーム用アダプタ２０と、該ストリーム用アダプタ２０の第２の流路２１を開閉するキャップ３０と、を備えている。
【００３１】
ストリーム用アダプタ２０は第１ヒンジ４１を介してスプレー用アダプタ１０に開閉自在に連結され、さらにキャップ３０が第２ヒンジ４２を介して前記ストリーム用アダプタ２０に開閉自在に連結されている。
【００３２】
スプレー用アダプタ１０は、一端が開口する中空のハウジング１２と、このハウジング１２の開口部を覆うように被着されるカバー１３とから構成されている。ハウジング１２はポンプディスペンサ３側の後端が閉塞しかつ前端が開口する筒形状であり、カバー１３は前端が閉塞しかつ後端が開口する筒形状となっており、軸方向に互いに差し込んで固定される。
【００３３】
ポンプディスペンサ３の吐出口部４は、トリガヘッド３０１のシリンダ３０４から上端部から側方に延びるニップル部４３と、ニップル部４３に差込み固定されるバルブインサート４４とから構成されており、上記ハウジング１２はバルブインサート４４と一体成形されている。
【００３４】
ハウジング１２は、筒状の周壁部１２ａと、周壁部１２ａと同心的に設けられる軸部１２ｂと、周壁部１２ｂの後端を閉塞すると共に軸部１２ｂ後端が固定される後端壁部１２ｃと、から構成され、後端壁部１２ｃにポンプディスペンサ３からの吐出液流をハウジング１２内に流入させる流入口１２ｄが設けられている。
【００３５】
一方、カバー１３は、前記周壁部１２ａ外周に嵌合される外筒部１３ａと、前記軸部１２ｂと周壁部１２ａ間の環状隙間に嵌合する内筒部１３ｂと、外筒部１３ａ及び内筒部１３ｂの前端部を閉塞する前端壁部１３ｃと、から構成されており、前端壁部１３ｃの中央に吐出口１３ｄが開口している。また、ハウジング１２の軸部１２ｂの端面はカバー１３の前端壁部１３ｃに当接している。
【００３６】
そして、第１の流路１１は、軸部１２ｂと内筒部１３ｂ間に形成される。すなわち、軸部１２ｂの端面には、吐出口１３ｄに臨む凹部１１ａと、軸部１２ｂの端面周縁から凹部１１ａに向かってその接線方向に延びる傾斜溝１１ｂが設けられている。また、軸部１２ｂ外周には軸方向に延びる切欠き溝１１ｃが設けられ、この切欠き溝１１ｃの一端が前記流入口１２ｄに連通し、他端が傾斜溝１１ｂと連通している。
【００３７】
ストリーム用アダプタ２０は、スプレー用アダプタ１０に開閉自在に連結されるキャップ状の本体部２２と、この本体部２２の中央に設けられる減衰用の第２の流路２１を備えたノズル部２３と、から構成されている。
【００３８】
本体部２２は断面ハット形状の中空部材で、環状壁部２２ａと、この環状壁部２２ａの前端部を閉塞しノズル部２３を支持する前端壁部２２ｂとから構成されており、前端壁部２２ｂの中央に前記ノズル部２３が一体的に設けられている。そして、環状壁部２２ａの上端が第１ヒンジ４１を介してスプレー用アダプタ１０に接続され、下端に指を掛けるための指掛け部２２ｃが突設されている。
【００３９】
環状壁部２２ａとスプレー用アダプタ１０との当接部には、互いに係合する係止溝５１及び係止突起５２が設けられており、ストリーム用アダプタ２０を閉じた際の固定、及びスプレー用吐出口１３ｄとノズル部２３間の位置決めを図っている。また、ストリーム用アダプタ２０を閉じた際に、ノズル部２３のスプレー用アダプタ側端部をスプレー用アダプタ１０の吐出口１３ｄ周縁に押圧して液密状態に密接させている。
【００４０】
ノズル部２３は細長い円筒形状で、スプレー用の吐出口１３ｄと同軸的に配置されている。
【００４１】
キャップ３０は、環状壁部３１と環状壁部３１の前端部を閉塞する前端壁部３２とを有する断面ハット形状で、前端壁部３２の裏面に、ノズル部２３の先端開口部に差し込まれる栓体部３３と、この栓体部３３の周囲を取り囲みノズル部２３の外周に嵌合する嵌合壁部３４とから構成されている。
【００４２】
そして、環状壁部３１の下端が第２ヒンジ４２を介してストリーム用アダプタ２０に接続され、上端に指を掛けるための指掛け部３５片が突設されている。
【００４３】
また、環状壁部３１とストリーム用アダプタ２０との当接部には、互いに係合する係止溝５３及び係止突起５４が設けられている。
【００４４】
上記した第１，第２ヒンジ４１，４２は、支点４１ａ，４２ａと、弾性支持片４１ｂ，４２ｂを備えており、弾性支持片４１ｂ，４２ｂにて閉状態及び開状態を維持するようになっている。弾性支持片４１ｂ，４２ｂはくの字形状で、一端がキャップ３０あるいはストリーム用アダプタ２０に揺動自在に接続され、他端がストリーム用アダプタ２０あるいはスプレー用アダプタ１０に揺動自在に接続されている。
【００４５】
これら第１，第２ヒンジ４１，４２いずれも樹脂ヒンジで、スプレー用アダプタ１０のカバー１３，ストリーム用アダプタ２０およびキャップ３０と共に一体成形される。
【００４６】
この第１実施例のモード切換え装置の切換え操作は、次の通りである。
【００４７】
スプレーモードの場合には、ストリーム用アダプタ２０を開いてスプレー用アダプタ１０の吐出口１３ｄを開口し、第１の流路１１を通じて吐出される霧状の吐出液流をそのまま吐出する。すなわち、第１の流路１１では、流入口１２ｄから流入した液体が切欠き溝１１ｃから傾斜溝１１ｂを通じて凹部１１ａに流れ込み、凹部１１ａにおいて渦流でき、液体に遠心力が与えられる。この状態で吐出口１３ｄから液流が吐出されると、作用している遠心力によって液流は吐出口１３ｄから広がる方向に吐出される（図２（ａ）参照）。もちろん、渦流を形成しないでも霧状の吐出液流を形成することは可能であり、第１の流路１１の構成はこれに限定されない。たとえば、細孔から圧力をかけて噴き出すだけでも霧状の吐出液流を形成することができる。
【００４８】
次に、ストリームモードの場合には、ストリーム用アダプタ２０をスプレー用アダプタ１０に装着する。すると、スプレー用アダプタ１０の第１の流路１１から吐出された霧状の吐出液流がストリーム用アダプタ２０の減衰用の第２の流路２１を通過する途上で渦流が減衰されて直進流となり、直進流として吐出される。
【００４９】
停止モードの場合には、ストリーム用アダプタ２０にキャップ３０を装着して減衰用の第２の流路２１を閉塞する。
【００５０】
ストリーム用アダプタ２０及びキャップ３０を第１，第２ヒンジ４１，４２を介して開閉自在に連結しているので、操作が簡単になる。
【００５１】
［第２実施例］
図３，図４には本発明の第２実施例に係る吐出モード切換え装置を示している。
【００５２】
この実施例は、吐出液流の形態として、スプレーモードとフォームモードを切換え可能としたものである。
【００５３】
この吐出モード切換え装置２０１は、霧状の吐出液流を生成するための第１の流路２１１を備えたスプレー用アダプタ２１０と、スプレー用アダプタ２１０の霧状の吐出液流と干渉すると共に空気を混合して泡を生成する第３の流路２６１を備えたフォーム用アダプタ２６０と、フォーム用アダプタ２６０の第３の流路２６１を開閉するキャップ２３０と、を備えている。
【００５４】
フォーム用アダプタ２６０はスプレー用アダプタ２１０にスライド自在に連結され、キャップ２３０はヒンジ２４１を介してフォーム用アダプタ２６０に開閉自在に連結されている。
【００５５】
スプレー用アダプタ２１０は、一端が開口する中空のハウジング２１２と、このハウジング２１２の開口部を覆うように被着されるカバー２１３とから構成されている。ハウジング２１２はポンプディスペンサ３側の後端が閉塞しかつ前端が開口する筒形状であり、カバー２１３は前端が閉塞しかつ後端が開口する筒形状となっており、軸方向に互いに差し込んで固定される。
【００５６】
ポンプディスペンサ３の吐出口部４は、トリガヘッド３０１のシリンダ３０４から上端部から側方に延びるニップル部４３と、ニップル部４３に差込み固定されるバルブインサート４４とから構成されており、上記ハウジング２１２はバルブインサート４４と一体成形されている。
【００５７】
ハウジング２１２は、筒状の周壁部２１２ａと、周壁部２１２ａと同心的に設けられる軸部２１２ｂと、周壁部２１２ａの後端を閉塞すると共に軸部２１２ｂ後端が固定される後端壁部２１２ｃと、から構成され、後端壁部２１２ｃにポンプディスペンサ３からの吐出液流をハウジング２１２内に流入させる流入口２１２ｄが設けられている。
【００５８】
一方、カバー２１３は、前記周壁部２１２ａ外周に嵌合される外筒部２１３ａと、前記軸部２１２ｂと周壁部２１２ａ間の環状隙間に嵌合する内筒部２１３ｂと、外筒部２１３ａ及び内筒部２１３ｂの前端部を閉塞する前端壁部２１３ｃと、前端壁部２１３ｃから前方に延びるガイド壁部２１３ｅとから構成されており、前端壁部２１３ｃの中央に吐出口２１３ｄが開口している。また、ハウジング２１２の軸部２１２ｂの端面はカバー２１３の前端壁部２１３ｃに当接している。
【００５９】
そして、第１の流路２１１は、軸部２１２ｂと内筒部２１３ｂ間に形成される。すなわち、軸部２１２ｂの端面には、吐出口２１３ｄに臨む凹部２１１ａと、軸部２１２ｂの端面周縁から凹部２１１ａに向かって半径方向に対して傾斜して形成される傾斜溝２１１ｂが設けられている。また、軸部２１２ｂ外周には軸方向に延びる切欠き溝２１１ｃが設けられ、この切欠き溝２１１ｃの一端が前記流入口２１２ｄに連通し、他端が傾斜溝２１１ｂと連通している。
【００６０】
また、ハウジング２１２の周壁部２１２と、カバー２１３の外筒部２１３ａの間には空気通路２１４が設けられている。この空気通路２１４の一端はカバー２１３の外筒部２１３ａに設けられた空気吸入口２１４ａを介して大気と連通し、他端はカバー２１３の先端壁部２１３ｃに設けられた空気吐出口２１４ｂに連通している。この空気吐出口２１４ｂはフォーム用アダプタ２６０内に連通している。
【００６１】
フォーム用アダプタ２６０は、スプレー用アダプタ２１０のカバー２１２の円筒状のガイド壁部２１３ｅに軸方向にスライド自在に嵌合する環状部材で、内周がガイド壁部２１３ｅ外周に嵌合する外環部２６２と、外環部２６２の内側に所定距離だけ隔てて配される内環部２６３と、外環部２６２と内環部２６３とを連結する補強リブ２６４と、から構成されている。内環部２６３はスプレー用アダプタ２１０の吐出口２１３ｄを中心とすると円周上に形成されている。
【００６２】
そして、外環部２６２と内環部２６３の間の環状隙間にスプレー用アダプタ２１０のガイド壁部２１３ｅが軸方向にスライド自在に嵌合されており、フォーム用アダプタ２６０をスプレー用アダプタ２１０の端面に当接するまで押し込んだ第１位置Ａ、フォーム用アダプタ２６０をスプレー用アダプタ２１０端面から離間するように引き出した第２位置Ｂ間を移動自在となっている。第２位置Ｂの位置決めは、ガイド壁部２１３ｅの先端部内周に設けた係合突起２１３ｆを内環部２６３に係合することによって行う。
【００６３】
第１位置Ａでは、内環部２６３はスプレーモードでの霧状の液流と干渉せず、しかもスプレー用アダプタ２１０の前端壁部２１３ｃに設けられた空気吐出口２１３ｄが閉塞される。
【００６４】
第２位置Ｂでは、フォーム用アダプタ２６０の内環部２６３はスプレーモードの液流と干渉すると共に、空気吐出口２１３ｄが開放されて内環部２６３内周の第３の流路２６１で乱された液流に空気が混入し泡が生成される。
【００６５】
キャップ２３０はフォーム用アダプタ２６０の外環部２６２に着脱自在に嵌合される環状壁２３１と、環状壁２３１の内径端からフォーム用アダプタ２６０の内環部２６３に向けて突出する栓体部２３２と、から構成される。栓体部２３２は、フォーム用アダプタ２６０の内環部２６３内周に嵌合される嵌合壁２３３と、スプレー用アダプタ２１０の前端壁部２１３ｃの吐出口２１３ｄの周縁に液密に密接される環状のシール部２３４と、から構成される。
【００６６】
環状壁２３１の下端はヒンジ２４１を介してフォーム用アダプタ２６０に接続され、上端には指掛け部２３５が設けられている。
【００６７】
この第２実施例は次のようにして吐出モードが切り換えられる。
【００６８】
スプレーモードの場合には、フォーム用アダプタ２６０をスプレー用アダプタ２１０側の第１位置Ａに移動させ、スプレー用アダプタ２１０の第１の流路２１１から吐出口２１３ｄを通じて吐出される霧状の吐出液流を、そのまま吐出する。
【００６９】
次に、フォームモードの場合には、フォーム用アダプタ２６０を内環部２６３が霧状の液流と干渉する第２位置Ｂまでスライドさせる。
【００７０】
すると、スプレー用アダプタ２１０の吐出口２１３ｄから吐出された霧状の吐出液流がフォーム用アダプタ２６０の内環部２６３内周の第３の流路２６１内で流れが乱され、この乱流中に空気を混入することによって泡が生成され、泡状となって吐出される。
【００７１】
停止モードの場合には、フォーム用アダプタ２６０にキャップ２３０を装着して栓体部によって第３の流路２６１を閉塞すると共に、シール部２３４によってスプレー用アダプタ２１０の吐出口２１３ｄをシールする。
【００７２】
本実施例では、フォーム用アダプタ２６０をスプレー用アダプタ２１０にスライド自在に連結し、フォーム用アダプタ２６０にヒンジ２４１を介してキャップ２３０を連結しているので、操作が簡単になる。
【００７３】
【発明の効果】
以上説明したように、本発明にあっては、霧状の吐出液流を生成するための第１の流路を備えたスプレー用アダプタと、スプレー用アダプタの霧状の吐出液流を減衰させて直進流とする第２の流路を備えたストリーム用アダプタと、ストリーム用アダプタの第２の流路を開閉するキャップとを備えるだけの簡単な構成で、スプレーモード，ストリームモード及び停止モードの３モードの切換えを行うことができる。
【００７４】
また、霧状の吐出液流を生成する第１の流路と、直進流を生成する第２の流路を、それぞれ別個のアダプタに独立して設けているので、安定した吐出液流を形成できる。
【００７５】
さらに、ストリーム用アダプタ及びキャップを第１，第２ヒンジを介して開閉自在に連結しているので、操作が簡単になる。
【００７６】
また、スプレー用アダプタとスプレー用アダプタからの霧状の吐出液流を減衰させて直進流とする第２の流路を備えたストリーム用アダプタと、ストリーム用アダプタの第２の流路を開閉するキャップと、を備えるだけの簡単な構成で、スプレーモード，フォームモード及び停止モードの３モードの切換えを行うことができる。
【００７７】
この場合にも、フォーム用アダプタをスプレー用アダプタにスライド自在に連結し、スプレー用アダプタにヒンジを介してキャップを連結しているので、操作が簡単になる。
【図面の簡単な説明】
【図１】図１は本発明の第１実施例にポンプディスペンサの吐出モード切換え装置を示すもので、同図（ａ）は全体構成を示す縦断面図、同図（ｂ）は吐出モード切換え装置の展開図である。
【図２】図２（ａ），（ｂ）は図１の吐出モード切換え装置のモード切換え状態の説明図、同図（ｃ）は第１流路出口の説明図である。
【図３】図３は本発明の第２実施例にポンプディスペンサの吐出モード切換え装置を示す縦断面図である。
【図４】図４（ａ），（ｂ）は図３の装置のモード切換え状態の説明図、同図（ｃ）は第１流路出口の説明図である。
【符号の説明】
１  モード切換え装置
２  容器
３  ポンプディスペンサ
４  吐出口部
１０，２１０  スプレー用アダプタ
１１，２１１  第１の流路
１２，１２３  ハウジング（支持部材）
１３，２１３  カバー
１３ｄ，２１３ｄ  吐出口
２０  ストリーム用アダプタ
２１  第２の流路
３０，２３０  キャップ
２６０  フォーム用アダプタ
２６１  第３の流路
２６３  内環部
４１，４２，２４１  ヒンジ
【図１】
0003572712.tif 000002
【図２】
0003572712.tif 000003
【図３】
0003572712.tif 000004
【図４】
0003572712.tif 000005